(57)【要約】【課題】  マルチバンド入力装置を利用して原稿をスキャンすることによるコスト及び処理速度の問題を解消すると共に、人間の視覚特性に極めて近い高精度な色再現性を有する画像処理装置を提供すること。【解決手段】  ４つ以下の異なる波長帯域で撮像対象をそれぞれ撮像して得られたスキャナ出力値を入力するスキャナ出力値入力手段３１と、５つ以上の異なる波長帯域で前記撮像対象をそれぞれ撮像して得られたマルチバンド出力値を入力するマルチバンド出力値入力手段３２とを備える。更に、スキャナ出力値とマルチバンド出力値とを画素毎に比較した結果に基づいてカラープロファイルデータを作成する作成手段３３を備える。【選択図】      図２
2005094492.tif 000002
【特許請求の範囲】
【請求項１】
４つ以下の異なる波長帯域で撮像対象をそれぞれ撮像して得られた各画素毎のスキャナ出力値を入力する第１の入力手段と、
５つ以上の異なる波長帯域で前記撮像対象をそれぞれ撮像して得られた各画素毎のマルチバンド出力値を入力する第２の入力手段と、
前記第１の入力手段から入力されたスキャナ出力値と前記第２の入力手段から入力されたマルチバンド出力値とを画素毎に比較した結果に基づいてカラープロファイルデータを作成する作成手段と、
を備える画像処理装置。
【請求項２】
請求項１記載の画像処理装置において、
前記スキャナ出力値と前記マルチバンド出力値とを比較すべき画素同士のサイズ並びに位置を一致させる同形処理手段を備えた、
画像処理装置。
【請求項３】
請求項１又は２記載の画像処理装置において、
前記作成手段は、
注目画素のマルチバンド出力値が既に前記比較を終えた画素のマルチバンド出力値と同じ値でないとき、当該注目画素のスキャナ出力値とマルチバンド出力値とを比較する、
画像処理装置。
【請求項４】
請求項１乃至３記載の画像処理装置において、
前記撮像対象が色材を記録していない支持体であるか否かを前記スキャナ出力値又は前記マルチバンド出力値に基づいて判断する手段を備え、
この手段によって前記撮像対象が色材を記録していない支持体であると判断されたとき、
前記作成手段は、
前記マルチバンド出力値から抽出した任意の代表値と前記スキャナ出力値とを比較した結果に基づいてカラープロファイルデータを作成する、
画像処理装置。
【請求項５】
請求項１乃至４記載の画像処理装置において、
前記第１の入力手段から入力されたスキャナ出力値に前記作成手段が作成したカラープロファイルデータを作用させて色変換を行う変換手段を更に備えた、
画像処理装置。
【請求項６】
コンピュータ装置に、
４つ以下の異なる波長帯域で撮像対象をそれぞれ撮像して得られた各画素毎のスキャナ出力値を入力する第１の入力処理と、
５つ以上の異なる波長帯域で前記撮像対象をそれぞれ撮像して得られた各画素毎のマルチバンド出力値を入力する第２の入力処理と、
前記第１の入力処理で入力されたスキャナ出力値と前記第２の入力処理で入力されたマルチバンド出力値とを画素毎に比較した結果に基づいてカラープロファイルデータを作成する作成処理と、
を実行させる画像処理プログラム。
【請求項７】
４つ以下の異なる波長帯域で撮像対象をそれぞれ撮像して得られた各画素毎のスキャナ出力値を入力する第１の入力手順と、
５つ以上の異なる波長帯域で前記撮像対象をそれぞれ撮像して得られた各画素毎のマルチバンド出力値を入力する第２の入力手順と、
前記第１の入力手順で入力されたスキャナ出力値と前記第２の入力手順で入力されたマルチバンド出力値とを画素毎に比較した結果に基づいてカラープロファイルデータを作成する作成手順と、
を有する画像処理方法。
【発明の詳細な説明】
【技術分野】
【０００１】
本発明は、画像処理装置、画像処理プログラム、及び画像処理方法に関する。      
【背景技術】
【０００２】
原稿の複写やデジタル画像の生成には、スキャナ装置、或いはこのスキャナ装置と同様の機能を搭載したデジタル複写機が利用されることが多い。そしてこのスキャナ装置は、網点方式により印刷された原稿（例えば新聞）、銀塩方式により印刷された原稿（例えば写真）、インクジェット方式により印刷された原稿のいずれであってもその印刷内容をスキャンすることが可能である。
【０００３】
しかしながら、これら各種原稿をスキャンして得たデジタルデータへその原稿の種類の違いを何ら考慮せず同内容のカラープロファイルを作用させて色変換を施した場合、高精度な色再現は期待できないとされている。これは、「メタメリズム（条件等色）」と呼ばれる現象に起因するものである。メタメリズムとは、分光分布の異なる２組の刺激値が特定の観測条件の下では等しい色に見えることを意味する（非特許文献１参照）。したがって、原稿をスキャンして得たデジタル信号値ＲＧＢが同じであってもその原稿に色を形成していた色材種の如何によっては測色値が異なるという現象も生じうる。
【０００４】
このような現象に対しては、原稿の種類に応じて予め準備された数種のカラープロファイルを切り替えながら使用するといった対策が講じられてきた。これらプロファイルの切り替えは、スキャナ装置のユーザインターフェースを介したマニュアル操作により行われるというのがこれまで一般的であったが、スキャナ装置に原稿種推定機能を搭載することにより、原稿に応じてカラープロファイルを自動的に切り替えるといった動作を行なう発明も提案されている（特許文献１及び２参照）。
【０００５】
ここで、極めて高精度の色再現を実現する「マルチバンド入力装置」と呼ばれるデバイスがある。この入力装置は、一般に、ピーク値を異にする少なくとも５種類以上の色フィルタや干渉フィルタなどを備えており、各フィルタを切り替えながら異なる波長帯域で撮像対象を撮像し、これにより得られた情報を基に撮像対象の分光反射率を算出する。例えば、可視光を１５ｎｍ毎の狭帯域に分割して撮像する場合、それら各帯域内にピーク値を持つ２０枚のフィルタをＣＣＤ（charge coupled device）やＣＭＯＳ（complementary metal  oxide semiconductor）などの素子と組み合わせて用いることになる。
【０００６】
スキャナ装置がＲＧＢやＣＭＹＫといったような３つ乃至４つの波長帯域で撮像して得た情報のみにより撮像対象の分光反射率を算出するのに対し、マルチバンド入力装置はこれよりも多くの波長帯域で撮像して得た情報によって分光反射率を算出するため、メタメリズムの発生を抑えた高精度の色再現が実現できる（非特許文献１参照）。
【非特許文献１】大田登：“色再現工学の基礎”，１９９７年，コロナ社
【特許文献１】特開平６−１９７２１８号公報
【特許文献２】特開２００２−９４８１４号公報
【発明の開示】
【発明が解決しようとする課題】
【０００７】
上述したように、特許文献１や２に開示された発明は、撮像対象となる原稿の種類を推定する機能を搭載することで、予め作成されていた数種のカラープロファイルを自動的に切り替えながら利用するといった内容であった。
しかしながら、同文献に開示された発明の場合、切り替え可能なカラープロファイルは、印刷と写真といったような大まかなカテゴリーに分けて準備されているに過ぎず、それらカラープロファイルが作成された条件と異なる条件下で原稿をスキャンした場合の色再現の精度までが保証されるものではない。
【０００８】
また、カラープロファイルは出力された原稿のみから作成されるわけではなく、その作成には色票を組み合わせた反射物を必要とするが、出力されたデバイスが不明な原稿の場合はそのような反射物の入手すらできないこともある。更に、いわゆるオフセット印刷により作成された原稿は、その一枚あたりの印刷コストは極めて高額となるため、カラープロファイルを作成する都度色票を組み合わせた印刷物までも印刷しなければならないとなるとコスト面での不都合が大きくなる。
【０００９】
一方、上述したマルチバンド入力装置は極めて高精度の色再現を実現可能ではあるものの、実用に耐えうる（つまりメタメリズムを発生させない）程度の再現精度を保つためには可視光の波長領域を少なくとも６つ以上の異なる波長帯域に分けて撮像する必要があるとされている（非特許文献１参照）。従って、３つ（ＲＧＢ出力の場合）或いは４つ（ＣＭＹＫ出力の場合）の波長帯域で撮像するスキャナ装置と比べるとその装置構成は複雑なものとならざるを得ず、一枚あたりの印刷コストも高額となり、また、その取り込み処理速度も遅くなってしまうといった不都合があった。
【００１０】
本発明は、このような背景の下に案出されたものであり、マルチバンド入力装置を利用することによるコスト面と処理速度の問題を解消すると共に、人間の視覚特性に極めて近い高精度な色再現性を有する画像処理装置を提供することを目的とする。
【課題を解決するための手段】
【００１１】
本発明の好適な態様である画像処理装置は、４つ以下の異なる波長帯域で撮像対象をそれぞれ撮像して得られた各画素毎のスキャナ出力値を入力する第１の入力手段と、５つ以上の異なる波長帯域で前記撮像対象をそれぞれ撮像して得られた各画素毎のマルチバンド出力値を入力する第２の入力手段と、前記第１の入力手段から入力されたスキャナ出力値と前記第２の入力手段から入力されたマルチバンド出力値とを画素毎に比較した結果に基づいてカラープロファイルデータを作成する作成手段とを備える。
【００１２】
この態様において、前記スキャナ出力値と前記マルチバンド出力値とを比較すべき画素同士のサイズ並びに位置を一致させる同形処理手段を備えてもよい。
また、上述の両態様において、前記作成手段は、注目画素のマルチバンド出力値が既に前記比較を終えた画素のマルチバンド出力値と同じ値でないとき、当該注目画素のスキャナ出力値とマルチバンド出力値とを比較するようにしてもよい。
【００１３】
また、これらの各態様において、前記撮像対象が色材を記録していない支持体であるか否かを前記スキャナ出力値又は前記マルチバンド出力値に基づいて判断する手段を備え、この手段によって前記撮像対象が色材を記録していない支持体であると判断されたとき、前記作成手段が前記マルチバンド出力値から抽出した任意の代表値と前記スキャナ出力値とを比較した結果に基づいてカラープロファイルデータを作成するようにしてもよい。
ここで「支持体」とは、色材を記録する媒体を意味するものであり、用紙やＯＨＰ（Over Head Projector）用シートなどを広く含むものである。
更に、上記一連の態様において、前記第１の入力手段から入力されたスキャナ出力値に前記作成手段が作成したカラープロファイルデータを作用させて色変換を行う変換手段を備えてもよい。
【００１４】
本発明の別の好適な態様である画像処理プログラムは、コンピュータ装置に、４つ以下の異なる波長帯域で撮像対象をそれぞれ撮像して得られた各画素毎のスキャナ出力値を入力する第１の入力処理と、５つ以上の異なる波長帯域で前記撮像対象をそれぞれ撮像して得られた各画素毎のマルチバンド出力値を入力する第２の入力処理と、前記第１の入力処理で入力されたスキャナ出力値と前記第２の入力処理で入力されたマルチバンド出力値とを画素毎に比較した結果に基づいてカラープロファイルデータを作成する作成処理とを実行させる。
【００１５】
本発明の別の好適な態様である画像処理方法は、４つ以下の異なる波長帯域で撮像対象をそれぞれ撮像して得られた各画素毎のスキャナ出力値を入力する第１の入力手順と、５つ以上の異なる波長帯域で前記撮像対象をそれぞれ撮像して得られた各画素毎のマルチバンド出力値を入力する第２の入力手順と、前記第１の入力手順で入力されたスキャナ出力値と前記第２の入力手順で入力されたマルチバンド出力値とを画素毎に比較した結果に基づいてカラープロファイルデータを作成する作成手順とを有する。
【発明の効果】
【００１６】
本発明によれば、原稿を撮像して得たスキャナ出力値の色再現性を確保するためのカラープロファイルデータを効率的に作成することができ、高精度の色再現性を有するデジタル画像を容易に得ることができる。
【発明を実施するための最良の形態】
【００１７】
（Ａ：第１実施形態）
本実施形態にかかる画像処理システムの特徴は、原稿をスキャナ装置により撮像して得た出力値と、同一の原稿をマルチバンド入力装置により撮像して得た出力値とを画素毎に比較することによって、カラープロファイルデータを生成する点にある。
図１は、本実施形態にかかる画像処理システムの全体構成を示す図である。同図に示すように、本実施形態にかかる画像処理システムは、マルチバンド入力装置１０と、スキャナ装置２０と、画像処理装置３０とを接続して構成される。
【００１８】
マルチバンド入力装置１０は、光源、ピーク値を異にする２０枚の光学フィルタ、ＣＣＤ素子、画像ページメモリなどを備える。そしてこの入力装置１０は、可視光を２０の波長帯域に分割してそれぞれ撮像することで、画像を形成する各画素のアドレスとそれぞれ対応付けられた２０次元のスペクトルデータ群を取得する。また、この入力装置１０は、画素毎の２０次元のスペクトルデータ群をデバイスインディペンデントな任意の色空間の各色信号値に変換して出力するようになっている。この色空間は、ｓＲＧＢ、ＣＩＥＸＹＺ、ＣＩＥＬＡＢ、ｓＹＣＣのいずれでもよい。
以降の説明においては、このマルチバンド入力装置１０から出力される各色信号値のセットを、単にマルチバンド出力値と呼ぶ。
【００１９】
スキャナ装置２０は、光源、ＲＧＢ各色毎のＣＣＤ素子を走査方向に沿って線状に配列した３ラインＣＣＤ、画像ページメモリなどを備える。そしてこのスキャナ装置２０は、撮像対象をスキャンすることで、画像を形成する各画素のアドレスとそれぞれ対応付けられたＲＧＢの各色信号値を取得し、これを出力する。これらの色信号値は、デバイスディペンデントに限る必要性はないが、スキャナ出力値として、扱う機会が多いとの理由から、本実施例ではデバイスディペンデントなＲＧＢ空間の色信号値として説明する。
以降の説明においては、このスキャナ装置２０から出力されるＲＧＢの各色信号値のセットを、単にスキャナ出力値と呼ぶ。
【００２０】
なお、本実施形態においては、マルチバンド入力装置１０の解像度はスキャナ装置２０の光学精度よりも小さくなるように設定されている。
画像処理装置３０は、マルチバンド出力値とスキャナ出力値とを画素単位で比較することによりＩＣＣ（International Color Consortium）カラープロファイルデータを生成して出力する。
【００２１】
図２は、画像処理装置３０の主要なハードウェア構成を示すブロック図である。画像処理装置３０は、スキャナ出力値入力手段３１と、マルチバンド出力値入力手段３２と、プロファイル作成手段３３と、同形処理手段３４と、非重複画素抽出手段３５とを備え、更に、図示しない画像ページメモリ、コンピュータディスプレイ、キーボート、ポインティングデバイス、出力インターフェースなどを備える。
【００２２】
スキャナ出力値入力手段３１は、スキャナ装置２０から各画素のアドレスと対応付けられたスキャナ出力値を入力するインターフェースとして機能する。
マルチバンド出力値入力手段３２は、マルチバンド入力装置１０から各画素のアドレスと対応付けられたマルチバンド出力値を入力するインターフェースとして機能する。
プロファイル作成手段３３は、スキャナ出力値とマルチバンド出力値とを画素毎に比較した結果に基づいてＩＣＣカラープロファイルデータを生成する。また、生成したＩＣＣカラープロファイルデータをスキャナ出力値に作用させて色変換処理を施す色変換手段としても機能する。
【００２３】
同形処理手段３４は、スキャナ出力値とマルチバンド出力値とを比較する画素同士の適切なマッチングを行なうべく、傾き補正、クリッピング、画素サイズ補正といった処理をスキャナ出力値或いはマルチバンド出力値へ施す。
非重複画素抽出手段３５は、非重複画素を画像ページメモリから抽出する。この非重複画素とは、プロファイル作成手段３３による比較処理が済んだ画素と異なるマルチバンド出力値を有する画素を意味する。また、この非重複画素抽出手段２３は、撮像対象が白紙であるかどうかを判定する判定手段としても機能する。
【００２４】
図３は、一枚の原稿を撮像してからＩＣＣカラープロファイルデータを作成するまでの動作を示すフローチャートである。
まず、撮像対象となる原稿をスキャナ装置２０が撮像すると共に、これとまったく同じ原稿をマルチバンド入力装置１０も撮像する（Ｓ１１０）。
画像処理装置３０のスキャナ出力値入力手段３１は、各画素のアドレスとそれぞれ対応付けられたスキャナ出力値をスキャナ装置２０から取得し、画像ページメモリの所定領域に格納する（Ｓ１２０）。
【００２５】
次に、画像処理装置３０のマルチバンド出力値入力手段３２は、各画素のアドレスとそれぞれ対応付けられたマルチバンド出力値をマルチバンド入力装置１０から取得し、画像ページメモリの別の所定領域に格納する（Ｓ１３０）。
続いて、画像処理装置３０の同形処理手段３４は、マルチバンド出力値とスキャナ出力値のそれぞれに対し、傾き補正処理ならびにクリッピング処理を施す（Ｓ１４０）。具体的には、原稿を撮像して得た画像の基準位置に対する傾き量を算出してこれを修正し、もとの原稿の大きさからはみ出した部分の画素をカットするといったような処理を行う。
【００２６】
更に、同形処理手段３４は、画素サイズの補正処理を行う（Ｓ１５０）。具体的には、以下のような処理を行う。まず、画像ページメモリを参照してマルチバンド出力値と対応付けられた各画素のアドレスを特定する。そして、このアドレスを基に、互いに隣接する数画素群をそれぞれブロック化する。一ブロックあたりの画素数はマルチバンド入力装置１０の画素解像度とスキャナ装置２０の画素解像度との関係により特定される。例えば、マルチバンド入力装置１０がスキャナ装置２０の２倍の解像度に設定されているときは４つの隣接画素毎にブロック化される。更に、そのブロック内にある各画素のアドレスと対応付けられた各色信号値をそれらの平均値と置き換える。最後に、各ブロックをその位置を示す新たなアドレスと関連付ける。これにより、マルチバンド出力値と対応する各画素のサイズが拡大し、スキャナ出力値と対応する各画素のサイズと概ね一致する。
【００２７】
次に、画像処理装置３０の非重複画素抽出手段３５は、スキャナ出力値を解析して白紙判定を行なう（Ｓ１６０）。この白紙判定は、以下のようにして行う。まず、画像ページメモリに各アドレスと対応付けて格納されているスキャナ出力値を読み出し、読み出したスキャナ出力値を基にＲ成分、Ｇ成分、Ｂ成分ごとのヒストグラムを作成する。そして、作成した３つのヒストグラムが示す最大値と最小値との差がすべて所定の範囲内に分布しているとき、撮像した原稿が白紙であると判断する。
【００２８】
原稿が白紙でないと判断したとき、非重複画素抽出手段３５は、画像ページメモリの各画素のうちから非重複画素を注目画素として特定し、この注目画素のアドレスとマルチバンド出力値を画像ページメモリから抽出する（Ｓ１７０）。具体的には以下のような処理を行う。まず、画像ページメモリに格納された画素をマルチバンド出力値（すべての色信号値）を同じくする画素群毎にグループ分けする。そして、各グループに属する各画素のうち任意の画素を注目画素として特定し、この注目画素のアドレス及びマルチバンド出力値を抽出する。
【００２９】
画像処理装置３０のプロファイル作成手段３３は、注目画素のマルチバンド出力値とスキャナ出力値とを比較した結果に基づいてＩＣＣカラープロファイルデータを作成する（Ｓ１８０）。
比較されるべき画素同士のマッチングは、マルチバンド出力値と対応づけられた画素のアドレスと、ステップ１５０でブロック化された画素群に関連付けられたアドレスとに基づいて行なわれる。
【００３０】
ＩＣＣカラープロファイルデータを作成する方法には、ニューラルネットワークを利用する方法のほかに、線形回帰モデルや主成分分析を利用した方法などがあるが、本実施形態ではこれらのいずれを採用してもよい。望ましくは、Makoto Sasaki and Hiroaki Ikegami Proc, of International Science 2002（2002）p413-141 を利用して作成するとよい。
【００３１】
ステップ１８０が実行されると、再びステップ１７０に戻り、既に前記比較を終えた画素と異なるマルチバンド出力値を有する非重複画素を注目画素としてステップ１７０乃至１８０の処理を再び実行する。そしてこれらの処理は、画像ページメモリに格納されているすべての非重複画素と対応するＩＣＣカラープロファイルデータを生成するまで繰り返される。
【００３２】
一方、ステップ１６０で原稿が白紙であると判断したとき、画像処理装置３０のプロファイル作成手段３３は、画像ページメモリに格納されていたマルチバンド出力値のうち、任意の１つの画素のマルチバンド出力値を代表値として抽出し、この代表値とスキャナ出力値とを比較した結果に基づいてＩＣＣカラープロファイルデータを生成する（Ｓ１９０）。Ｒ成分、Ｇ成分、Ｂ成分のヒストグラムの最大値と最小値の分布が所定の範囲内に収まるときは、画面を形成する画素のマルチバンド出力値がすべて均一の値であるとみなして各画素毎のマルチバンド出力値の参照を省略することで、処理効率を向上させるものである。ＩＣＣカラープロファイルの生成方法は、ステップ１８０で挙げたものに従えばよい。
以上説明したような一連の動作を原稿を一枚撮像するたびに行なうことで、各原稿に色を形成する色材に応じたＩＣＣカラープロファイルデータが生成されることになる。
【００３３】
以上説明した本実施形態によれば、撮像対象をスキャナ装置２０により撮像して得たスキャナ出力値と、同一の撮像対象をマルチバンド入力装置１０により撮像して得たマルチバンド出力値とを画素レベルで比較することで、色変換処理を実行するためのＩＣＣカラープロファイルデータを作成することができる。
【００３４】
そして、このようにして生成したプロファイルデータを基に色変換したデジタル画像をコンピュータディスプレイやプロッタといったような出力デバイスに出力することにより、いわゆるメタメリズムの発生を抑えた高精度の色再現を実現することができる。
更に、撮像対象を撮像する際におけるスキャナ装置２０並びにマルチバンド入力装置１０の解像度を通常のスキャン時より低く設定することにより、カラープロファイルを生成するまでの処理量を下げることもできる。
【００３５】
（Ｂ：第２実施形態）
第１実施形態は、原稿をスキャナ装置２０で一枚撮像するたびにこの原稿をマルチバンド入力装置１０により撮像してＩＣＣカラープロファイルデータを取得していた。このため、撮像する原稿が複数枚に及ぶ場合、画像を形成する各画素の２０次元のスペクトルデータのセットもその枚数分だけ取得する必要があった。これに対し、本実施形態は、それら複数の原稿のうち任意の一枚の原稿のみからＩＣＣカラープロファイルデータを生成し、このＩＣＣプロファールデータを他の原稿のスキャナ出力値にも作用させて色変換処理を行なう。
【００３６】
本実施形態における色変換の取り扱いを図４に示す。図４は、Ｎ枚の原稿を撮像してこのデジタル画像を取得する場合の例を示すものである。
デジタル画像を取得する際は、Ｎ枚の原稿のうちからもっとも分光反射率分布が広いと思われる一枚の原稿を選び出し、第１実施形態に示した手順に従ってＩＣＣカラープロファイルデータを生成する。そして、生成したＩＣＣカラープロファイルデータをこの原稿のスキャナ出力値に作用させて色補正を行なう。一方、それ以外の原稿については、スキャナ装置２０によって取得したスキャナ出力値に、最初に生成したＩＣＣカラープロファイルデータを作用させて色補正を行なう。
【００３７】
このように、一枚の原稿から生成したＩＣＣカラープロファイルデータを他の原稿にも援用して色補正を行なうようにすることで、全体の処理量を抑えながらすべての原稿の色変換を高精度で行なうことができる。
【００３８】
（Ｃ：変形例）
以上、本発明の実施形態について説明したが、本発明はかかる実施形態に限定されるものではなく、その技術思想の範囲内で様々な変形が可能である。なお、変形例としては、例えば、以下のようなものが考えられる。
【００３９】
色再現性を重視する印刷分野では、リモートプルーフと呼ばれるサービスが普及している。このサービスは、色校正機能を搭載したサーバ装置をネットワーク上に設置し、各印刷機器から送信されたデジタル画像の校正をこのサーバ装置に代行させるものである。この種のサービスには、特定のデバイスに対応するカラープロファイルデータの作成のみを代行するものも見受けられる。これと同様に、上記実施形態に示した画像処理装置３０と同等の機能を搭載したサーバ装置をネットワーク上に設置し、不特定多数のデバイスからのカラープロファイルデータの作成要求に応じるようにしてもよい。
【００４０】
このような変形例のシステム構成例を図５に示す。同図に示すように、本変形例は、スキャナ装置とマルチバンド入力装置とプリンタなどの出力デバイスとをローカルに接続して構成される複数の画像入出力環境４０と、これらの画像入出力環境４０とネットワーク６０を介して接続されるサーバ装置５０とから構成される。このサーバ装置５０は、上記画像処理装置３０と同等のハードウェア構成を備えており、各画像入出力環境４０から、同一の原稿を撮像して得たスキャナ出力値とマルチバンド出力値とのセットを受信し、図３に示したステップ１２０乃至ステップ１８０の処理に従って生成したＩＣＣカラープロファイルデータを返信する。そしてこのサーバ装置５０によりＩＣＣカラープロファイルデータが作成される毎に、その依頼者に対する課金が行なわれる。
【００４１】
ＩＣＣカラープロファイルデータの作成を依頼した画像入出力環境４０は、サーバ装置５０から受信したＩＣＣカラープロファイルデータを用いて色変換処理を施したデジタル画像をプリンタなどの出力デバイスに入力してこれを出力させる。以上のような構成をとることにより、自ら画像処理装置３０を備えていない画像入出力環境４０であっても高度な色再現性を有するデジタル画像を得ることができる。
【００４２】
更に、上述の実施形態の画像処理装置３０は、ピーク値を異にする２０枚の光学フィルタを備え、これら光学フィルタを用いて原稿を撮像することで、一画素あたり２０次元のスペクトルデータを取得するようになっていたが、光学フィルタの枚数は２０枚である必要はなく、スキャナ装置２０よりも細かい帯域に可視光の波長領域を分割して原稿を撮像できるのであれば、２０枚より少なくてもよい。
【００４３】
また、上記実施形態の画像処理装置３０は、ピーク値を違えた複数の光学フィルタを用いて原稿を撮像することでマルチバンド出力値を取得するようになっていたが、ピーク値を可変とした液晶チューナブルフィルタを用いることにより多次元のスペクトルデータを取得するようにしてもよい。液晶チューナブルフィルタは、撮像対象からの反射光を透過させる帯域をＣＰＵからの制御信号に応じて制御することで、撮像対象から取得するスペクトルデータの次元数やそれら各々の波長帯域を自在に変更することができる。
【００４４】
上記実施形態においては、スキャナ出力値とマルチバンド出力値とを画素レベルで比較することによって生成されるデータをＩＣＣカラープロファイルデータとしたが、これはディファクトスタンダードとして定着している同データを挙げて説明したに過ぎない。従って、適切な色変換のために利用されるパラメータ群であればＩＣＣカラープロファイルデータ以外の独自形式によるものであってもよい。
【００４５】
上記実施形態における画像処理装置３０は、スキャナ出力値とマルチバンド出力値とを画素毎に比較した結果に基づいてＩＣＣカラープロファイルデータを生成する手段を予め搭載しているものとして説明を行なったが、かかる手段と同様の機能をコンピュータ装置に付与するための画像処理プログラムをＣＤ−ＲＯＭ（compact disk-read only memory）などの記録媒体に記憶させておき、この媒体からコンピュータ装置に画像処理プログラムを読み込ませることで、かかるコンピュータ装置に上述の画像処理装置３０と同様の動作を実行させるようにしてもよい。また、この種のプログラムを提供するサーバ装置をネットワーク上に設け、各コンピュータ装置の要求に応じてこのプログラムが配信されるようにしてもよい。
【図面の簡単な説明】
【００４６】
【図１】画像処理システムの全体構成図である。
【図２】画像処理装置のハードウェア構成を示すブロック図である。
【図３】実施形態の動作を示すフローチャートである。
【図４】第２実施形態における色変換の取り扱いを示す図である。
【図５】変形例のシステム構成例を示す図である。
【符号の説明】
【００４７】
１０：マルチバンド入力装置、２０：スキャナ装置、３０：画像処理装置、３１：スキャナ出力値入力手段、３２：マルチバンド出力値入力手段、３３：プロファイル作成手段、３４：同形処理手段、３５：非重複画素抽出手段
【図１】
2005094492.tif 000003
【図２】
2005094492.tif 000004
【図３】
2005094492.tif 000005
【図４】
2005094492.tif 000006
【図５】
2005094492.tif 000007